(57)【要約】【課題】木質系フローリング材の天然木調の色調や木目模様等の特性を活かしながら、接合部からの水の浸入を防止できるように端部がシーリング処理されたフローリング用床材を提供する。【解決手段】雄実と雌実とを結合させる実結合によって端部どうしを接合させる床材１であって、該雄実を構成する凸部１１の上部垂下面１１１と上部水平面１１２および該雌実を構成する凹部１２の内部上面１２２と上部端面１２１とにそれぞれシーリング剤７をスプレー塗布し、プレコート層が形成されたフローリング用床材。【選択図】図１
2009167699.tif 000002
【特許請求の範囲】
【請求項１】
雄実と雌実とを結合させる実結合によって端部どうしを接合させる床材であって、該雄実を構成する凸部の上部垂下面と上部水平面および該雌実を構成する凹部の内部上面と上部端面とにそれぞれシーリング剤をスプレー塗布し、プレコート層が形成されたフローリング用床材。
【請求項２】
上記スプレー塗布を雄実の上方から下方に向けて行い、上記床材の突き合わせ部上側端面をマスキングするとともに、上記雄実を構成する凸部の上部垂下面と上部水平面以外の部分をマスキングしてスプレーし、上記凸部の上部垂下面と上部水平面とにシーリング剤のプレコート層が形成された請求項１に記載のフローリング用床材。
【請求項３】
上記スプレー塗布を雌実の下方から上方に向けて行い、上記床材の突き合わせ部上側端面をマスキングするとともに、上記雌実を構成する凹部の内部上面と上部端面以外の部分をマスキングしてスプレーし、上記凹部の内部上面と上部端面とにシーリング剤のプレコート層が形成された請求項１に記載のフローリング用床材。
【請求項４】
上記スプレー塗布に用いるノズルが正面視菱形の吐出部を有するものである請求項１に記載のフローリング用床材。
【請求項５】
上記シーリング剤がシリコーン樹脂系撥水剤である請求項１に記載のフローリング用床材。
【発明の詳細な説明】
【技術分野】
【０００１】
本願発明は、床材の接合部の端部のシーリング処理に関し、さらに詳しくは、雄実と雌実とからなる実結合部がシーリング処理されたフローリング用床材に関するものである。
【背景技術】
【０００２】
近年、和風住宅においても木質系フローリング材を敷き詰めてフローリングを行い、洋風の住宅空間、例えば、リビングルームを設けることが一般的に行われている。上記木質系フローリング材としては、通常、厚み６〜１５ｍｍ程度の天然木材のムク板や、厚み６〜１５ｍｍ程度の積層合板等の木質系基材上に、厚み数百μｍないし数ｍｍ程度の天然木材の突き板を貼着したもの、あるいはそれらの塗装品が用いられている。
【０００３】
上記木質系フローリング材は、リビングルーム以外にも浴室脱衣所や洗面所、キッチンルーム等にも使用される。しかしながら、木質系なるが故に、本質的に耐水性に劣り、床面が水に濡れる機会の多い洗面所、キッチンルーム等に使用されると、水分が突き板層やその下の木質系基材にしみ込み易く、突き板層の膨れや木質系基材からの剥離、床材全体としての反り等が発生し易いという問題がある。
【０００４】
特に、木質系フローリング材を敷き詰めたとき、床材どうしの接合部分から水がしみこみ易く、その対策として継ぎ目に合成樹脂等によるシーリング処理を施すことが行われている。しかし、この方法では、床面に多数敷き詰めた床材の相互間のすべての継ぎ目に、施工現場でシーリング処理を施す必要が生じ、非常に手間がかかり、施工コストが上昇し、施工期間が長期化するという問題がある。
【０００５】
上記した問題を解決するため、特開２００３−４９５３０号公報には、その図２に示されているように、平板状の床材用基材の上面に、熱可塑性樹脂製の化粧シートが積層されてなる床材において、前記化粧シートが、前記床材用基材の上面から、前記床材用基材の全外周における側面の少なくとも上側の一部にかけて、連続して積層されてなることを特徴とする床材およびその製造方法が開示されている。
【特許文献１】特開２００３−４９５３０号公報
【発明の開示】
【発明が解決しようとする課題】
【０００６】
しかしながら、上記特許文献１に記載の床材においては、平板状の床材用基材の上面に化粧シートを真空成形法またはソフトラッピング法により積層されているため、木質感に劣ったものとなり、また、経年劣化により、床材用基材から化粧シートの剥がれや膨れが生じるという問題がある。本願発明は、上記背景技術に鑑みてなしたものであり、その目的とするところは、木質系フローリング材の天然木調の色調や木目模様等の特性を活かしながら、接合部からの水の浸入を防止することができるように端部がシーリング処理されたフローリング用床材を提供することである。
【課題を解決するための手段】
【０００７】
上記課題を解決するために、本願請求項１記載の発明に係るフローリング用床材は、雄実と雌実とを結合させる実結合によって端部どうしを接合させる床材であって、該雄実を構成する凸部の上部垂下面と上部水平面および該雌実を構成する凹部の内部上面と上部端面とにそれぞれシーリング剤をスプレー塗布し、プレコート層が形成されたことを特徴としている。
【０００８】
本願請求項２記載の発明は、上記請求項１記載のフローリング用床材において、上記スプレー塗布を雄実の上方から下方に向けて行い、上記床材の突き合わせ部上側端面をマスキングするとともに、上記雄実を構成する凸部の上部垂下面と上部水平面以外の部分をマスキングしてスプレーし、上記凸部の上部垂下面と上部水平面とにシーリング剤のプレコート層が形成されたことを特徴としている。
【０００９】
本願請求項３記載の発明は、上記請求項１記載のフローリング用床材において、上記スプレー塗布を雌実の下方から上方に向けて行い、上記床材の突き合わせ部上側端面をマスキングするとともに、上記雌実を構成する凹部の内部上面と上部端面以外の部分をマスキングしてスプレーし、上記凹部の内部上面と上部端面とにシーリング剤のプレコート層が形成されたことを特徴としている。
【００１０】
本願請求項４記載の発明は、上記請求項１記載のフローリング用床材において、上記スプレー塗布に用いるノズルが菱形の吐出部を有するものであることを特徴としている。
【００１１】
本願請求項５記載の発明は、上記請求項１記載のフローリング用床材において、上記シーリング剤がシリコーン樹脂系撥水剤であることを特徴としている。
【発明の効果】
【００１２】
本願請求項１記載の発明に係るフローリング用床材においては、床材の端部どうしを実結合させる際、雄実を構成する凸部の上部垂下面と上部水平面、および雌実を構成する凹部の内部上面と上部端面とにそれぞれシーリング剤を塗布し、プレコート層が形成されているため、現場施工の際、床材表面にマスキングテープを貼り付ける等の養生を行ってシリコーン系等、撥水効果のあるシーリング剤を塗布する工程を省くことができる。そして、工場で予め、端部がシーリング処理された床材を用いるため、作業を簡略化することが可能となり、作業性よく、フローリング施工を行うことができる。
【００１３】
本願請求項２記載の発明に係るフローリング用床材においては、特に、上記スプレー塗布を雄実の上方から下方に向けて行い、上記床材の突き合わせ部上側端面をマスキングし、かつ、上記雄実を構成する凸部の上部垂下面と上部水平面以外の部分をマスキングしてスプレー塗布するため、雄実の床面側に位置する上記凸部の上部垂下面と上部水平面とにシーリング剤のプレコート層が形成され、フローリングを施工したとき、床面側からの水分の浸入を防ぐことができる。
【００１４】
本願請求項３記載の発明に係るフローリング用床材においては、特に、上記スプレー塗布を雌実の下方から上方に向けて行い、上記床材の突き合わせ部上側端面をマスキングし、かつ、上記雌実を構成する凹部の内部上面と上部端面以外の部分をマスキングしてスプレー塗布するため、上記雌実の床面側に位置する凹部の内部上面と上部端面とにシーリング剤のプレコート層が形成され、フローリングを施工したとき、床面側からの水分の浸入を防ぐことができる。
【００１５】
本願請求項４記載の発明に係るフローリング用床材においては、特に、上記スプレー塗布に用いるノズルが正面視菱形の吐出部を有するものであるため、シーリング剤を膜状に塗布することが可能となり、厚膜にプレコートすることができる。
【００１６】
本願請求項５記載の発明に係るフローリング用床材においては、特に、上記シーリング剤をシリコーン樹脂系撥水剤とすることにより、シーリング機能の優れた端部を有するフローリング用床材をコスト的に有利に得ることができる。
【発明を実施するための最良の形態】
【００１７】
図１は、本願発明に係るフローリング用床材において、床材の一端部である雄実をシーリング処理する方法を説明する分解斜視図である。図２は、上記床材の一端部である雄実をシーリング処理する方法を説明する説明図である。図１に示すように、床材１は一端部に雄実が凸設され、他の端部は雌実とされている。本実施形態においては、雄実を構成する凸部１１の上部垂下面１１１と上部水平面１１２とにシーリング剤７がスプレーガン４のノズル４１から吹き付けられ、それらの表面がプレコートされるとともに、撥水処理される。
【００１８】
すなわち、図１、図２に示すように、雄実の凸部１１の上方から下方に向けてスプレー塗布を行い、上記凸部１１の上部垂下面１１１と上部水平面１１２とにシーリング剤７を吹き付ける。ここで上記床材１の突き合わせ部上側端面１１６はマスキングテープ２１でマスキングされ、また、上記雄実１１を構成する凸部１１の突出面１１３、下部水平面１１４および下部垂下面１１５はそれぞれマスキングテープ２２でマスキングされ、これらの部分にシーリング剤７が吹き付けられることを遮蔽する。このようにすることによって、凸部１１の上部垂下面１１１と上部水平面１１２とにシーリング剤７が吹き付けられ、乾燥後プレコート層が形成される。
【００１９】
このとき、スプレーガン４には、シーリング剤７がシーリング剤供給容器５からフレキシブルチューブ６を経由して供給される。そして、スプレーガン４を図１に矢印で示すように、雄実に沿って移動させることにより、上記凸部１１の上部垂下面１１１と上部水平面１１２とにシーリング剤７がムラなく吹き付けられる。
【００２０】
図３は、本願発明に係るフローリング用床材において、図１に雌実として示された凹部１２をシーリング処理する方法を説明する説明図である。図３に示すように、雌実の凹部１２の下方から上方に向けてスプレー塗布を行い、上記凹部１２の上部端面１２１と内部上面１２２とにシーリング剤７を吹き付ける。ここで上記床材１の突き合わせ部上側端面１２６はマスキングテープ３１でマスキングされ、また、上記雌実を構成する凹部１２の突き当たり面１２３、内部下面１２４および下部端面１２５はそれぞれマスキングテープ３２でマスキングされ、これらの部分にシーリング剤７が吹き付けられることを遮蔽する。このようにすることによって、凹部１２の上部端面１２１と内部上面１２２とにシーリング剤７が吹き付けられ、乾燥後プレコート層が形成される。
【００２１】
図４は、本願発明に係るフローリング用床材において、図１に雄実、雌実として示されている端部をシーリング処理する際に用いられるスプレーガン４のノズル４１を示す正面図である。図４に示されているように、ノズル４１の吐出孔４１１の形状が菱形とされているため、シーリング剤７を膜状に吐出することも可能であり、周囲へのシーリング剤７の飛散防止、ロスの低減、プレコート層の厚膜化を図ることができる。
【００２２】
図５は、上記のようにして、シーリング剤７がプレコートされ、マスキングテープ２１、２２とマスキングテープ３１、３２とを除いた後、プレコート層が形成された雄実と雌実とを模式的に示す説明図である。図５に示すように、雄実を構成する凸部１１の上部垂下面１１１と上部水平面１１２とはシーリング剤７を塗布してプレコートされ、また、雌実を構成する凹部１２の内部上面１２２と凹部１２の上部端面１２１とはシーリング剤７を塗布してプレコートされている。
【００２３】
図６は、上記のようにして、シーリング剤７をプレコートされた雄実と雌実とを接着剤８を用いて接着する状態を示す説明図である。図６に模式的に示すように、実用接着剤８を凹部１２内に塗布し雄実と雌実とを接着させる。ここで、凸部１１の突出面１１３と下部水平面１１４および、凹部１２の突き当たり面１２３と内部下面１２４とはシーリング剤７が付着することのないようにマスキングされていたため、実用接着剤８を均一に塗布することが可能であり、雄実と雌実とをしっかりと接着することができる。
【００２４】
以上述べたように、工場で予め雄実と雌実の床面側にシーリング剤７でプレコートした本願発明に係るフローリング用床材を用いることにより、施工現場では、雄実と雌実とを結合した後、実用接着剤８を用いて床材の端部どうしを接合する作業のみを行えばよく、作業の簡略化を図ることができる。さらに施工後の床面は、上記したように、実結合部の床面側が撥水処理されているため、床面に水をこぼしたとき等、床材端部の接合部から水分が床材内部へ浸透することを防ぎ、フローリング用床材の吸水による伸縮、反りの発生等を防ぐことができる。
【００２５】
なお、上記した実施形態においては、マスキングするためにマスキングペーパーを用いたが、他の手段、例えば、マスキング用の雄実治具、雌実用治具を用いてもよい。このように、本願発明は設計変更自在であり、特許請求の範囲を逸脱しない限り、本願発明の技術的範囲に属する。
【図面の簡単な説明】
【００２６】
【図１】本願発明に係るフローリング用床材において、床材の一端部である雄実をシーリング処理する方法を説明する分解斜視図。
【図２】本願発明に係るフローリング用床材の一端部である雄実をシーリング処理する方法を説明する説明図。
【図３】本願発明に係るフローリング用床材において、図１に雌実として示された凹部をシーリング処理する方法を説明する説明図。
【図４】本願発明に係るフローリング用床材において、端部をシーリング処理する際に用いられるスプレーガンのノズルを示す正面図である。
【図５】本願発明に係るフローリング用床材において、プレコート層が形成された雄実と雌実とを模式的に示す説明図。
【図６】本願発明に係るフローリング用床材において、雄実と雌実とを接着剤を用いて接着する状態を示す説明図。
【符号の説明】
【００２７】
１      床材
１１    凸部
１１１  上部垂下面
１１２  上部水平面
１１３  突出面
１１４  下部水平面
１１５  下部垂下面
１１６  突き合わせ部上側端面
１２    凹部
１２１  上部端面
１２２  内部上面
１２３  突き当たり面
１２４  内部下面
１２５  下部端面
１２６  突き合わせ部上側端面
２１    マスキングテープ
２２    マスキングテープ
３１    マスキングテープ
３２    マスキングテープ
４      スプレーガン
４１    ノズル
４１１  吐出孔
５      シーリング剤供給容器
６      フレキシブルチューブ
７      シーリング剤
８      実用接着剤
【図１】
2009167699.tif 000003
【図２】
2009167699.tif 000004
【図３】
2009167699.tif 000005
【図４】
2009167699.tif 000006
【図５】
2009167699.tif 000007
【図６】
2009167699.tif 000008